(57)【要約】【課題】磁気ヘッドを簡単に、かつ、確実にクリーニングできるようにする。【解決手段】磁気券を搬送する搬送路の途中に磁気ヘッドを有する磁気券処理機をクリーニングモードに設定するクリーニングモード設定手段と、前記磁気券処理機がクリーニングモードに設定されたときに前記磁気券を搬送する搬送路を往復動させる搬送路制御手段とを有し、前記磁気券処理機がクリーニングモードに設定されているときに前記搬送路に表面に凹凸状を有するＰＥＴからなるクリーニングカードを搬送させて前記磁気ヘッドをクリーニングする。【選択図】　　　図１
2004005861.tif 000002
【特許請求の範囲】
【請求項１】
クリーニングカードの本体の面を凹凸状としたことを特徴とするクリーニングカード。
【請求項２】
請求項１に記載のクリーニングカードにおいて、凹凸状はクリーニングカードの本体の表面及び裏面の両面にそれぞれ設けられていることを特徴とするクリーニングカード。
【請求項３】
請求項１又は２に記載のクリーニングカードにおいて、クリーニングカードの本体は合成樹脂製であることを特徴とするクリーニングカード。
【請求項４】
磁気券を搬送する搬送路の途中に磁気ヘッドを有する磁気券処理機をクリーニングモードに設定するクリーニングモード設定手段と、
前記磁気券処理機がクリーニングモードに設定されたときに前記磁気券を搬送する搬送路を往復動させる搬送路制御手段と、
を有し、前記磁気券処理機がクリーニングモードに設定されているときに前記搬送路にクリーニングカードを搬送させて前記磁気ヘッドをクリーニングすることを特徴とするクリーニングカードを用いるクリーニング装置。
【請求項５】
請求項４に記載のクリーニングカードを用いるクリーニング装置において、磁気券処理機がクリーニングモードに設定されたときに、磁気券を搬送する搬送路の搬送速度をその磁気券を搬送するときよりも低速にすることを特徴とするクリーニングカードを用いるクリーニング装置。
【請求項６】
請求項４又は５に記載クリーニングカードを用いるのクリーニング装置において、磁気券処理機は自動改札機であることを特徴とするクリーニングカードを用いるクリーニング装置。
【発明の詳細な説明】
【０００１】
【発明の属する技術分野】
本発明は、自動改札機等の磁気券処理機に組込まれている磁気ヘッドをクリーニングするためのクリーニングカード、及びそのクリーニングカードを用いるクリーニング装置に関する。
【０００２】
【従来の技術】
従来、例えば、自動改札機に組込まれている磁気ヘッドは、磁気ヘッドが汚損すると読取エラーや書込エラーが生じやすくなるので、定期的にクリーニング（清掃）されている。
【０００３】
従来の磁気ヘッドのクリーニングは、作業員が綿棒で磁気ヘッドをクリーニングしたり、又は、アルコールを浸み込ませた布製のクリーニングカードを磁気券を搬送する要領で搬送させ、そのクリーニングカードが磁気ヘッドを通過するときにクリーニングを行うようにしている。
【０００４】
【発明が解決しようとする課題】
しかしながら、上記従来の磁気ヘッドのクリーニングにおいて、綿棒によるクリーニングは、自動改札機のように磁気ヘッド数が多いとその作業が大変であり、また、布製のクリーニングカードを用いたクリーニングの場合は、クリーニングカードが磁気券と同様に磁気ヘッド部分を一瞬のうちに通過してしまうので、クリーニング効果が期待できず、さらに、クリーニングカードにアルコールを浸み込ませるときにアルコールが飛散してこれが汚れの原因になったりするおそれがあった。
【０００５】
そこで、本発明は、上記欠点を解決するためになされたものであって、その目的は、磁気ヘッドを簡単に、しかも確実にクリーニングすることのできるクリーニングカード、及びそのクリーニングカードを用いるクリーニング装置を提供することにある。
【０００６】
【発明が解決しようとする課題】
本発明に係るクリーニングカードは、上記目的を達成するために、請求項１に記載の発明は、クリーニングカードの本体の面を凹凸状としたことを特徴としている。
本発明の請求項２に記載のクリーニングカードは、凹凸状はクリーニングカードの本体の表面及び裏面の両面にそれぞれ設けられていることを特徴としている。
本発明の請求項３に記載のクリーニングカードは、クリーニングカードの本体は合成樹脂製であることを特徴としている。
【０００７】
本発明に係るクリーニングカードを用いるクリーニング装置は、上記目的を達成するために、請求項４に記載の発明は、磁気券を搬送する搬送路の途中に磁気ヘッドを有する磁気券処理機をクリーニングモードに設定するクリーニングモード設定手段と、前記磁気券処理機がクリーニングモードに設定されたときに前記磁気券を搬送する搬送路を往復動させる搬送路制御手段とを有し、前記磁気券処理機がクリーニングモードに設定されているときに前記搬送路にクリーニングカードを搬送させて前記磁気ヘッドをクリーニングすることを特徴としている。
本発明の請求項５に記載のクリーニングカードを用いるクリーニング装置は、磁気券処理機がクリーニングモードに設定されたときに、磁気券を搬送する搬送路の搬送速度をその磁気券を搬送するときよりも低速にすることを特徴としている。
本発明の請求項６に記載のクリーニングカードを用いるクリーニング装置は、磁気券処理機は自動改札機であることを特徴としている。
【０００８】
【発明の実施の形態】
以下、本発明の実施の形態を図面に基づいて説明する。図１（ａ）は、一実施の形態に係るクリーニングカードの正面図である。このクリーニングカードの本体（以下、クリーニングカードの本体を含めてクリーニングカードとして説明する。）Ｃは、ＰＥＴ等の合成樹脂製からなり、図示しない磁気券処理機で使用されるカード状媒体と同じ大きさであり、例えば、磁気券処理機が自動改札機の場合は、その自動改札機で使用される定期券の大きさと同一に形成されている。
【０００９】
このクリーニングカードＣの表面及び裏面は、図１（ａ）のイ部を拡大して示した同図（ｂ）及び同図（ｂ）のＡ−Ａ線断面で示した同図（ｃ）に示されるように、凹凸状Ｃ′に形成されている。この凹凸状Ｃ′は、クリーニングカードＣの片方の面（表面又は裏面）に設けることもできるが、磁気券処理が自動改札機のように、搬送路の上側及び下側に磁気ヘッドを有する場合は、両面に凹凸状Ｃ′を設けるほうが便利である。
【００１０】
図２は、磁気券処理機を自動改札機としたときのカードハンドラ部分の概略構成図である。このカードハンドラには、図示しない普通乗車券や定期券等の磁気券からなる乗車券を投入するための投入口１が設けられているとともに、その乗車券を利用者へ返却するための取出口２が設けられている。
【００１１】
投入口１と取出口２との間には、モータＭにより駆動される、一対の無端ベルトを対設して形成された周知の搬送路Ｌが設けられている。この搬送路Ｌは、矢印で示されるように、乗車券を投入口１から取出口２へ搬送することができるように構成されている。
【００１２】
この搬送路Ｌの途中には、投入口１から取出口２にかけて、順に、投入口１から投入された乗車券の姿勢を所定の状態に整える整列部３と、乗車券に記録されているデータを読取る読取ヘッドＨ１，Ｈ１′（読取ヘッドＨ１′は、投入口１に裏面を上にして、すなわち、乗車料金等の所定の内容の印字されている面を下にして投入された乗車券に記録されているデータを読取る裏面投入用である。以下、裏面投入用のヘッドには「′」が付されている。）と、乗車券に新たなデータ（入出場データ）を書込むための書込ヘッドＨ２，Ｈ２′と、書込まれた内容をチェックするためのベリファイヘッドＨ３，Ｈ３′と、必要に応じて乗車券にパンチ穴をあけ、また、入場駅名等の所定の内容を印字するパンチ印字部４と、出場処理時において利用者へ返却する必要のない乗車券を回収搬送路Ｌ′を介して集札箱Ｂに集札するための図示しないソレノイドで駆動されるウイングＷとが設けられている。
【００１３】
図１中、ａは、自動改札機を統括的に制御する制御器であって、図示しないが、その制御器ａのＣＰＵは、メモリに格納されているシステムプログラムデータ及びワーキングデータとを用いて入出場等の所定の演算処理が行われるように構成されている。そして、そのＣＰＵは、各磁気ヘッドＨ１，Ｈ１′，Ｈ２，Ｈ２′，Ｈ３，Ｈ３′と接続されたリードライト（Ｒ／Ｗ）ドライバ、ウイングＷを駆動するウイングドライバ、モータＭの駆動ドライバ、及びドアを駆動するドアドライバ等の各種ドライバや係員によって各種の設定が行われる係員処理ユニット等が接続されている。また、自動改札機が無線通信機能を備えた非接触券も処理できる場合は、アンテナを備えたリーダライタ（トランスミッタ）も接続される。
【００１４】
次に、図３のフローチャートを用いてクリーニングカードＣを用いた自動改札機の制御動作について説明する。今、自動改札機は、図示しない係員処理ユニットを介してクリーニングモードに設定されたとする（ステップ１００肯定。以下、ステップを「Ｓ」とする。）。自動改札機がクリーニングモードに設定されると乗車券を投入しての入出場処理は中止されるとともに、搬送路Ｌの搬送速度が乗車券（磁気券）処理時よりも遅く設定される。また、投入口１から投入されたクリーニングカードＣが読取ヘッドＨ１からベリファイヘッドＨ３′間で所定の回数往復搬送（往復動）するように設定される。この往復動の制御は、搬送路Ｌには図示しない多数のホトセンサからなるセンサ群が設けられていて乗車券の搬送位置が検出されるように構成されているので、これらセンサ群によりクリーニングカードＣの位置を検出することにより行われる。
【００１５】
投入口１からクリーニングカードＣが投入される（Ｓ１０２肯定）、クリーニングカードＣは乗車券搬送時よりも遅い速度で各ヘッドＨ１〜Ｈ３′間を所定回数往復動し、これにより、各ヘッドＨ１〜Ｈ３′に付着している汚れ物質は、クリーニングカードＣの凹凸状Ｃ′の凹部内に捕捉され、したがって、クリーニングカードＣは、クリーニングされる（Ｓ１０４）。
【００１６】
クリーニングカードＣが各ヘッドＨ１〜Ｈ３′間を所定回数往復動した後、そのクリーニングカードＣは、取出口２に排出される（Ｓ１０８）。なお、クリーニングカードＣは、集札箱Ｂに排出させるようにしてもよいが、このクリーニングカードＣは、凹凸状Ｃ′が失われるまで複数回（例えば５０回）使用できるので、取出口２に排出して繰り返し使用することが望ましい。自動改札機は、クリーニング終了後、係員処理ユニットを介して入出場処理モードに復帰される（Ｓ１１０）。
【００１７】
なお、上述の例では、磁気券処理機として自動改札機の例を示したが、磁気券を処理する機器であれば適用することができる。例えば、自動精算機に適用することができる。また、磁気ヘッドが搬送路の一方側に設けられている場合は、一方の面のみに凹凸状Ｃ′を設けたクリーニングカードＣを用いることもできる。もちろん、このように搬送路の一方側に磁気ヘッドが設けられている場合であっても、両面に凹凸状Ｃ′を有するクリーニングカードＣを用いることができることはいうまでもない。
【００１８】
【発明の効果】
本発明の請求項１に記載のクリーニングカードは、クリーニングカードの本体の面を凹凸状としたので、磁気ヘッドを簡単に、しかも、確実にクリーニングすることができる。
本発明の請求項２に記載のクリーニングカードは、凹凸状はクリーニングカードの本体の表面及び裏面の両面にそれぞれ設けられているので、搬送路の上，下側に設けられている磁気ヘッドを効率よくクリーニングすることができる。
本発明の請求項３に記載のクリーニングカードは、クリーニングカードの本体を合成樹脂製としたので、丈夫なクリーニングカードとすることができる。
【００１９】
本発明の請求項４に記載のクリーニングカードを用いるクリーニング装置は、磁気券を搬送する搬送路の途中に磁気ヘッドを有する磁気券処理機をクリーニングモードに設定するクリーニングモード設定手段と、前記磁気券処理機がクリーニングモードに設定されたときに前記磁気券を搬送する搬送路を往復動させる搬送路制御手段とを有し、前記磁気券処理機がクリーニングモードに設定されているときに前記搬送路にクリーニングカードを搬送させて前記磁気ヘッドをクリーニングするので、磁気ヘッドを簡単に、しかも、確実にクリーニングすることができる。
本発明の請求項５に記載のクリーニングカードを用いるクリーニング装置は、磁気券処理機がクリーニングモードに設定されたときに、磁気券を搬送する搬送路の搬送速度をその磁気券を搬送するときよりも低速にするので、磁気ヘッドに対するクリーニングカードの接触時間が多くなり、クリーニング効果を高めることができる。
本発明の請求項６に記載のクリーニングカードを用いるクリーニング装置は、磁気券処理機を自動改札機としたときは、自動改札機に設けられている多数の磁気ヘッドを簡単に、しかも、確実にクリーニングすることができる。
【図面の簡単な説明】
【図１】（ａ）は、本発明の一実施の形態に係るクリーニングカードの正面図、（ｂ）は、（ａ）のイ部の拡大図、（ｃ）は、（ｂ）のＡ−Ａ線断面図である。
【図２】磁気券処理機を自動改札機としたときのそのカードハンドラ部分の概略構成図である。
【図３】制御動作を示すフローチャートである。
【符号の説明】
Ｃ　クリーニングカード（クリーニングカードの本体）
Ｃ′　凹凸状
１　投入口
２　取出口
Ｈ１，Ｈ１′　読取ヘッド
Ｈ２，Ｈ２′　書込ヘッド
Ｈ３，Ｈ３′　ベリファイヘッド
ａ　制御器
Ｌ　搬送路
Ｍ　モータ
【図１】
2004005861.tif 000003
【図２】
2004005861.tif 000004
【図３】
2004005861.tif 000005